(57)【要約】  環境（１００）の照明シーンを生成し、制御するための方法及びシステムが述べられる。環境（１００）は、１つ以上の制御可能な照明デバイス（１４０、１５０、１６０、１７０、１８０、１９０）を持つ。環境について所望の照明シーンに関するキーワード、例えば、"自然"が受け取られ、環境の１つ以上の画像（各画像において１つ以上の照明デバイスのうちの少なくとも１つが環境に影響をもたらすよう制御されている）が提供される。画像ソースが、キーワードに基づいて探索され、画像が取得される。提供された画像は、１つ以上の照明シーン及び１つ以上の照明デバイスの関連するパラメータを生成するため取得された画像と比較され、キーワードが、１つ以上の照明シーンと関連付けられる。比較は、キーワードの再現の際に環境（１００）内に照明シーンを再生するよう照明シーン及び関連するパラメータを導出するためカラーコントラスト、色相マッチング、パターン認識のうちの１つ以上を含んでもよい。
2017530531.tif 000002
【特許請求の範囲】
【請求項１】
複数の制御可能な照明デバイスを持つ環境の１つ以上の照明シーンを生成するための方法であって、
前記環境について所望の照明シーンに関するキーワードを受けるステップ、
前記環境の複数の画像を提供するステップであって、各画像において、前記複数の照明デバイスのうちの少なくとも１つの照明デバイスが、前記環境に異なる効果をもたらすよう制御される、ステップ、
前記キーワードに基づいて画像ソースから１つ以上の画像を取得すステップ、
１つ以上の照明シーン及び前記複数の照明デバイスの関連するパラメータを生成するため前記取得された画像を前記提供された画像の組み合わせと比較することにより前記環境のための１つ以上の照明シーンを決定するステップ、及び
前記生成された１つ以上の照明シーン及びパラメータを前記キーワードと関連付けるステップ、
を含む方法。
【請求項２】
前記１つ以上の照明シーンの決定は、前記環境の前記提供された画像及び前記取得された１つ以上の画像の色値の相関を取ることを含む、請求項１に記載の方法。
【請求項３】
前記１つ以上の照明シーンの決定は、前記環境の前記提供された画像及び前記取得された１つ以上の画像のカラーコントラストの相関を取ることを含む、請求項１に記載の方法。
【請求項４】
前記１つ以上の照明シーンの決定は、パターン認識を含む、請求項１に記載の方法。
【請求項５】
前記１つ以上の照明シーンは、動的な照明シーンを含む、請求項１乃至４の何れか一項に記載の方法。
【請求項６】
前記提供される複数の画像は、前記複数の照明デバイスを順に制御することにより生成される、請求項５に記載の方法。
【請求項７】
前記複数の照明デバイスは、前記１つ以上の画像を提供するため各々の能力が循環される、請求項６に記載の方法。
【請求項８】
１つ以上の前記提供される画像は、自動的に生成される、請求項６に記載の方法。
【請求項９】
前記画像ソースは、パブリックデータベースである、請求項１に記載の方法。
【請求項１０】
前記提供される画像は、ユーザが生成した動画又は画像のシーケンスを含む、請求項１に記載の方法。
【請求項１１】
各前記複数の提供される画像において、前記異なる効果は、前記複数の照明デバイスのうちの異なる照明デバイスが、前記複数の照明デバイスの他の照明デバイスはオフされる一方、オンされるように制御されることを含む、請求項１に記載の方法。
【請求項１２】
プロセッサにより実行された場合請求項１乃至１１の何れか一項に記載の方法の各ステップを実行するためのコンピュータ実行可能コードを含むコンピュータプログラム。
【請求項１３】
環境の照明シーンを生成するためのシステムであって、
前記環境について所望の照明シーンに関するキーワードを受けるための入力インタフェースであって、各画像において複数の照明デバイスが前記環境に異なる効果をもたらすよう制御されている、前記環境の提供される複数の画像を受けるための入力インタフェース、及び
少なくとも１つのプロセッサと通信するためのインタフェース、
を有するシステムであり、
前記プロセッサは、
前記キーワードに基づいて画像ソースから１つ以上の画像を取得し、
１つ以上の照明シーン及び前記複数の照明デバイスの関連するパラメータを生成するため前記取得された画像を前記提供された画像の組み合わせと比較することにより前記環境のための１つ以上の照明シーンを決定し、
前記生成された１つ以上の照明シーン及びパラメータを前記キーワードと関連付ける、
ように構成される、システム。  
【請求項１４】
前記インタフェースは、サーバ及び前記画像ソースと通信するためのネットワークインタフェースを含む、請求項１３に記載のシステム。
【請求項１５】
前記サーバは、１つ以上の照明シーン及び前記複数の照明デバイスの関連するパラメータを決定し、生成するよう構成される、請求項１４に記載のシステム。
【発明の詳細な説明】
【技術分野】
【０００１】
本発明は、環境の照明シーン(lighting scene)を制御するための方法、システム及びコンピュータプログラムに関する。
【背景技術】
【０００２】
インテリジェント照明は成長分野であり、多くのカスタマイズ可能なオプションがある。環境は、間接的効果、ナロースポット効果、拡がり効果又は拡散効果、及び可能であれば異なる色相をもたらすため個別に制御可能である、いくつかの照明器具が設置され得る。全体的な効果は、光又は照明シーン又はプロファイルとよく呼ばれ、部屋の雰囲気又は"ムード"を変えることができる。
【発明の概要】
【発明が解決しようとする課題】
【０００３】
特有の課題が、誰かがある部屋又は環境の家具の取付け及び備品の取付け、装飾並びに全体的なレイアウトを考える場合に予期しないように相互作用する可能性がある、環境に設置された又は置かれた照明デバイスからの照明の相互作用の複雑さに存在する。斯かる多様な環境においてユーザに適う所望の照明雰囲気又はシーンを設定することは、非常に多くの潜在的な変数(variables)に起因して、困難(challenging)である。
【課題を解決するための手段】
【０００４】
それゆえ、上述の困難性に対する解決策を提供する要求がある。
【０００５】
第１の態様によれば、少なくとも１つ以上の制御可能な照明デバイスを持つ環境の１つ以上の照明シーンを生成するための方法であって、前記環境について所望の照明シーンに関するキーワードを受けるステップ、前記環境の１つ以上の画像を提供するステップであって、各画像において、前記１つ以上の照明デバイスのうちの少なくとも１つの照明デバイスが、前記環境に効果をもたらすため制御される、ステップ、前記キーワードに基づいて画像ソースから１つ以上の画像を取得すステップ、１つ以上の照明シーン及び前記１つ以上の照明デバイスの関連するパラメータを生成するため前記提供された画像を前記取得された画像と比較することにより前記環境のための１つ以上の照明シーンを決定するステップ、及び前記生成された１つ以上の照明シーン及びパラメータを前記キーワードと関連付けるステップ、を含む方法が提供される。
【０００６】
好ましくは、複数の制御可能な照明デバイスを持つ環境の１つ以上の照明シーンを生成するための方法であって、前記環境について所望の照明シーンに関するキーワードを受けるステップ、前記環境の複数の画像を提供するステップであって、各画像において、前記複数の照明デバイスのうちの少なくとも１つの照明デバイスが、前記環境に異なる効果をもたらすため制御される、ステップ、前記キーワードに基づいて画像ソースから１つ以上の画像を取得すステップ、１つ以上の照明シーン及び前記複数の照明デバイスの関連するパラメータを生成するため前記取得された画像を前記提供された画像の組み合わせと比較することにより前記環境のための１つ以上の照明シーンを決定するステップ、及び前記生成された１つ以上の照明シーン及びパラメータを前記キーワードと関連付けるステップ、を含む方法が提供される。例えば、各前記複数の提供される画像において、前記異なる効果は、前記複数の照明デバイスのうちの異なる照明デバイスが、前記複数の照明デバイスの他の照明デバイスはオフされる一方、オンされるように制御されることを含む。
【０００７】
キーワードは、環境の画像が提供された後、例えばユーザにより入力又は選択されてもよい。
【０００８】
一実施形態において、前記１つ以上の照明シーンの決定は、前記環境の前記提供された画像及び前記取得された１つ以上の画像の色値(color value)を比較する（相関を取る(correlate)）ことを含んでもよく、付加的に又は代替的に、前記環境の提供されたシーン画像及び前記取得された画像の組のカラーコントラスト(color contrast)の相関を取ることを含んでもよい。
【０００９】
一実施形態において、前記１つ以上の照明シーンの決定は、前記１つ以上の画像にパターン認識を適用することを含んでもよい。
【００１０】
一実施形態において、前記１つ以上の照明シーンは、動的な照明シーンを含んでもよい。
【００１１】
一実施形態において、前記提供される１つ以上の画像は、前記１つ以上の照明デバイスを順に制御することにより生成されてもよい。例えば、前記１つ以上の照明デバイスは、前記１つ以上の画像を提供するため各々の能力(capability)が循環されてもよい。斯くして、（例えばＲＧＢ照明デバイス等の）色が制御可能な照明デバイスは、色、色相(hue)、輝度又は調光効果により環境に異なる効果をもたらすよう制御されてもよい。
【００１２】
一実施形態において、前記１つ以上の照明シーンは、循環(cycling)に基づいて線形的に生成されてもよい。例えば、調光パラメータが変えられる、及び／又は、ＲＧＢ値が変えられる画像の線形の組み合わせ(linear combination)が、１つ以上のキーワードとの関連のための１つ以上の照明シーン又は照明シーンの組を導出するため演算されてもよい。
【００１３】
一実施形態において、前記１つ以上の照明デバイスの識別子が、前記提供される画像に加えて、前記生成される照明シーンを再生する(reproduce)よう設定又はパラメータを導出するため用いられてもよい。
【００１４】
一実施形態において、照明デバイスが何も照らされていない、前記環境の背景又は周辺画像が提供されてもよい。
【００１５】
他の実施形態において、前記提供される１つ以上の画像は、例えばユーザにより、前記環境に対する固定位置から生成されてもよい。任意に、前記提供される１つ以上の画像は、順に残りの照明デバイスは非アクティブにされ(de-activate)ながら各個々の照明デバイスがアクティブにされ(activate)、ゆえに、アクティブなデバイス毎に１つの画像が提供されるよう、照明デバイスが制御されながら環境の写真（画像）が撮影されるよう固定位置のカメラが照明制御システムと同期が取られるようにして自動的に生成されてもよい。
【００１６】
他の実施形態において、種々の設定を持つ照明デバイスは、前記環境の画像のシーケンスを提供するためこれら設定のうちの少なくともいくつかが循環されてもよい。
【００１７】
一実施形態において、前記画像ソースは、Flicker（登録商標）等のパブリック写真（画像）データベース又は他の同様のパブリックにアクセス可能な画像データベースであってもよい。代替的に又は付加的に、ユーザのデータベース、例えば、ユーザのホリデーアルバム又は他の同様の個人的な写真が利用されてもよい。
【００１８】
さらに他の実施形態において、前記環境の前記提供される画像は、ユーザが生成した動画(movie)又は画像のシーケンスを含んでもよい。
【００１９】
有利なことに、一実施形態において、前記決定された照明シーンは、ユーザによる前記環境の照明シーンの容易な再現(recall)及び制御のため前記キーワードと関連付けられる。斯くして、一般に緑色／黄色の色相を持つ環境は、キーワード"自然"と関連付けられるかもしれない。しかしながら、キーワードは、ユーザが選択する任意のものであり得、ユーザにとって個人的な回想又は愛着を持つかもしれない。
【００２０】
システムは、斯かるフィードバックを格納してもよく、例えばパターン、色の点で似た相関性を持つ代替的な演算された照明シーンを提示してもよい。学習アルゴリズムが、キーワードと照明シーンとの関連性を改善するためシステムにより実施されてもよい。
【００２１】
第２の態様において、当該方法の各ステップを実行するためのコンピュータ実行可能コードを含むコンピュータプログラムが提供される。コンピュータプログラムは、パーソナルコンピュータ若しくはランプトップ、タブレット、カメラ等の任意の演算デバイス又は又はネットワークを介して演算デバイス等と通信するサーバ上で実行されてもよい。
【００２２】
第３の態様によれば、環境の照明シーンを生成するためのシステムであって、例えば、第２の態様のコンピュータプログラムを実行することにより、第１の態様の方法の各ステップを実行するよう構成されるシステムが提供される。前記システムは、前記環境について所望の照明シーンに関するキーワードを受けるための入力インタフェースであって、各画像において１つ以上の照明デバイスのうちの少なくとも１つが前記環境に効果をもたらすよう制御されている、前記環境の提供される１つ以上の画像を受けるための入力インタフェース、及び少なくとも１つのプロセッサと通信するためのインタフェースを有し、前記プロセッサは、前記キーワードに基づいて画像ソースから１つ以上の画像を取得し、１つ以上の照明シーン及び前記１つ以上の照明デバイスの関連するパラメータを生成するため前記提供された画像を前記取得された画像と比較することにより前記環境のための１つ以上の照明シーンを決定し、前記生成された１つ以上の照明シーン及びパラメータを前記キーワードと関連付けるように構成される。
【００２３】
好ましくは、環境の照明シーンを生成するためのシステムであって、前記環境について所望の照明シーンに関するキーワードを受けるための入力インタフェースであって、各画像において複数の照明デバイスが前記環境に異なる効果をもたらすよう制御されている、前記環境の提供される複数の画像を受けるための入力インタフェース、及び少なくとも１つのプロセッサと通信するためのインタフェースを有するシステムであり、前記プロセッサは、前記キーワードに基づいて画像ソースから１つ以上の画像を取得し、１つ以上の照明シーン及び前記複数の照明デバイスの関連するパラメータを生成するため前記取得された画像を前記提供された画像の組み合わせと比較することにより前記環境のための１つ以上の照明シーンを決定し、前記生成された１つ以上の照明シーン及びパラメータを前記キーワードと関連付けるように構成される、システムが提供される。
【００２４】
一実施形態において、前記インタフェースは、サーバ及び前記画像ソースと通信するためのネットワークインタフェースを含む。
【００２５】
一実施形態において、前記１つ以上の照明シーンの生成は、ユーザの演算デバイスと通信するサーバにより実行されてもよい。
【００２６】
一実施形態において、演算された照明シーン及び照明デバイスのための関連するパラメータ又は設定は、環境において承認のためユーザに提示されてもよく、当該承認に応じてプロセッサによりキーワードと関連付けられ又は無視されてもよい。
【００２７】
一実施形態において、システムは、斯かるフィードバックを格納してもよく、例えばパターン、色の点で似た相関性を持つ代替的な演算された照明シーンを提示してもよい。
【００２８】
一実施形態において、学習アルゴリズムが、ユーザフィードバックに応じてキーワードと照明シーンとの関連性を改善するため実行されてもよい。
【００２９】
他の態様及び特徴は、添付の特許請求の範囲を参照して述べられる。
【図面の簡単な説明】
【００３０】
いくつかの実施形態を理解するため、単なる例示として、添付の図面を参照する。
【図１】図１は、例示の環境を示す。
【図２】図２は、アクティブな照明デバイスが照明シーン又は雰囲気を作っている環境を図示する。
【図３】図３は、一実施形態によるシステムを図示する。
【図４】図４は、一実施形態による例示の方法を示す。
【図５】図５は、一実施形態による環境の画像の組が提供されるステップを図示する。
【図６】図６は、一実施形態による照明シーンを計算するための方法におけるステップを示す。
【発明を実施するための形態】
【００３１】
図１は、ユーザのリビングルーム又はラウンジ等の環境１００の例示の図を示す。しかしながら、本発明の実施形態は、他の環境、例えば、寝室、キッチン、風呂若しくはシャワールーム、又は小売店、ショッピングモール若しくはレストラン等の大型設備にも適用可能であることに留意されたい。
【００３２】
環境１００は、例えば、一例として、家具ソファー１２０ａ及びテレビ１２０ｂ等の家具什器を含む。テレビは、図の環境の床に示されているが、無論、代替例では、壁掛け式であってもよい。環境１００はまた、戸口、本棚、絵画又は鏡等の形態の備品１３０を含んでもよい。
【００３３】
環境１００は、いくつかの照明デバイス１４０、１５０、１６０、１７０及び１８０を含む。図示のように照明デバイスは、天井に取り付けられるペンダント照明器具１４０、天井の凹部のスポットライト１５０、１６０、壁に取り付けられるライト１７０、１８０の形態であってもよい。環境１００はまたは、図示のように吊ランプ１９０を備えてもよい。
【００３４】
各照明デバイス１４０、１５０、１６０、１７０、１８０及び１９０は、通例通りスイッチオン又はオフされてもよく、１つ以上の照明デバイスが、異なる輝度（調光）をもたらすように"インテリジェント"又はプログラム可能であってもよく、照明雰囲気又はライトシーンを提供するためある範囲の色相（温白色から冷白色）又は色を提供してもよい。
【００３５】
図１は、理解を助け、文脈を与えるために例示されているに過ぎず、実施形態は、複数の照明デバイスを持つ多くの異なる環境に適用可能であることを理解されたい。
【００３６】
図２は、照明デバイス１４０、１５０、１６０、１７０、１８０及び１９０がアクティブにされている環境１００を図示する。照明デバイス１４０は、光円錐状影響圏(light cone of influence)１４０ａを持つように示されている。照明デバイス１５０、１６０、１７０及び１８０は、それぞれ光円錐状影響圏１５０ａ、１６０ａ、１７０ａ及び１８０ａを持つように示され、照明デバイス１９０は、広拡散照明円錐又は球(broad diffuse lighting cone or sphere)１９０ａを持つように示されている。
【００３７】
出願人は、誰かがある部屋又は環境の家具の取付け及び備品の取付け、反射性、周辺光並びに／又は装飾及び全体的なレイアウトを考える場合に予期しないように相互作用する、環境内の照明デバイスからの照明の相互作用の複雑さが、当該環境についてカスタマイズされた照明シーンを作るために膨大な量の潜在的な変数を招くことを認識した。それゆえ、ユーザに適う所望の照明雰囲気又はシーンを設定することは、非常に多くの潜在的な変数に起因して、困難である。
【００３８】
ユーザーフレンドリーにカスタマイズされた照明シーンを作る実施形態が、図３及び４を参照して述べられる。図３及び４は、それぞれシステムの一実施形態及び例示の方法の一実施形態を図示する。
【００３９】
図３は、種々のユーザデバイス３１０がサーバ又は他の演算デバイス３３０にネットワークを介して接続できるシステム３００の一実施形態を示す。ユーザデバイス３１０は、パーソナルコンピュータ３１０ａ、ランプトップ３１０ｂ、スマートフォン３１０ｃ又はネットワーク対応カメラ３１０ｄの形態であってもよい。
【００４０】
ある実施形態におけるシステムは、ユーザデバイス３１０から制御可能なインテリジェント家庭用照明システム（図示せず）を含んでもよい。
【００４１】
システムはまた、ある実施形態においてはネットワーク３２０を介してアクセス可能なFlicker（登録商標）等のパブリック画像データベースを含んでもよい、画像貯蔵庫(image store)又は画像データベース３４０を含む。
【００４２】
他の実施形態において、画像貯蔵庫又はデータベース３４０は、ホリデー写真等のユーザの個人的な画像を含んでもよい。画像貯蔵庫は、例えば、クラウド又はサーバベースのストレージ内でネットワーク３２０を介してアクセス可能であってもよい。
【００４３】
代替的に又は付加的に、画像貯蔵庫は、ユーザがアクセス権を持つソーシャルネットワーク３５０内に設けられてもよく、及び／又は、例えばユーザのパーソナルコンピュータ３１０ａに格納される、システム３００のホームネットワーク内に設けられてもよい。
【００４４】
図４は、演算デバイス３１０、３３０により実行される方法の実施形態のステップを図示する。プロセスは、ソフトウェア、ハードウェア又はこれらの組み合わせで実施されてもよい。
【００４５】
ステップ４１０において、キーワードが、演算デバイスにより受け取られる。例えば、ユーザは、デバイス３１０のキーボード又はタッチ若しくは触覚インタフェース等のデバイス３１０のインタフェースを介してキーワードを入力してもよい。または、キーワードは、話し言葉又はフレーズとして入力され、デバイス３１０のマイクロフォンにより受け取られ、音声認識を通じて処理されてもよい。
【００４６】
次いで、ステップ４２０において、ユーザは、環境１００の画像を演算デバイスに提供するよう処理を進める。画像は、例えばカメラ３１０ｄにより提供される場合のように、演算デバイス３１０、３３０にアップロードされてもよい。しかしながら、無論、ユーザデバイス３１０は、とりわけスマートフォン又はタブレット３１０ｃの場合のように、カメラを備えていることがよくあることを認識している。
【００４７】
ステップ４３０において、画像データベースが、キーワードに基づいて画像の組を取得すため探索される。例えば、キーワード"ビーチ"又は"自然"が、環境１００の所望の照明シーン又は雰囲気についてのコンテキストを提供し、例えばパブリック又は個人データベース３４０内でそのようにタグ付けされた画像が取得される。
【００４８】
ステップ４４０において、演算デバイスは、以下に述べられるような、キーワードに基づいて環境１００について所望の照明シーンを生成するため生成アルゴリズムを実行する。
【００４９】
理解を助けるため、単なる例示として、図５は、画像４２０を提供する例示の方法を図示する。
【００５０】
画像は、例えばカメラ３１０ｄにより提供される場合のように、演算デバイス３１０にアップロードされてもよい。しかしながら、無論、ユーザデバイス３１０は、とりわけスマートフォン又はタブレット３１０ｃの場合のように、カメラを備えていることがよくあることを認識している。
【００５１】
この実施形態において提供される画像は、環境に効果をもたらすため、各照明デバイス１４０、１５０、１６０、１７０、１８０、１９０がアクティブにされ、残りの照明デバイスは非アクティブにされている画像のシーケンスを含む。
【００５２】
ゆえに、図１及び２の環境１００において、６つの画像が撮影される。例えば、ユーザは、１つの照明デバイス１４０を制御し（ステップ５１０）、他の照明デバイス１５０、１６０、１７０、１８０、１９０はスイッチオフされる。次いで、照明デバイス１４０が環境のあるエリアを照らしている環境の画像をもたらす写真が撮影され、格納される（ステップ５２０）。次いで、このプロセスは、順に各照明デバイスについて繰り返される（ステップ５３０）。例えば、次いで、照明デバイス１５０が制御され、照明デバイス１４０、１６０、１７０、１８０、１９０がスイッチオフされ、以後同様に繰り返され、環境の提供される画像の組を生成する。各画像において、１つの照明デバイスがアクティブにされている。次いで、これらの画像は、例えば演算デバイス３１０にアップロードすることにより、マッチングのために提供される（ステップ５４０）。
【００５３】
一実施形態において、各照明デバイス１４０、１５０、１６０、１７０、１８０、１９０の異なる設定、例えば、（調光可能な照明デバイスについて）異なるパワー又は（異なるＲＧＢ設定が可能な色可変デバイスについて）異なる色相での効果が、画像に基づいて異なるパラメータ又は設定のために評価されてもよい。
【００５４】
例えば、照明シーンは、照明デバイスの線形推定応答(estimated linear response)に基づいて演算されてもよい。代替的に又は付加的に、他の実施形態においては、照明デバイス１４０、１５０、１６０、１７０、１８０、１９０の識別子が提供され、応答が、これらの仕様(specification)から決定されてもよい。
【００５５】
他の実施形態において、画像は、照明デバイスが順に制御される環境のフィルム(film)又はショートムービー(short movie)の形態で提供されてもよい。これは、照明デバイスが色相又は色について制御可能である場合に有利であろう。この場合、ある照明デバイスは、画像を提供するために当該照明デバイスの利用可能な特性が循環されてもよい。
【００５６】
図６は、環境のための１つ以上の光シーンの生成を図示する一実施形態を図示する。
【００５７】
ステップ６１０において、環境の光シーンが演算される。これは、一実施形態においてはサーバ３３０で実行されてもよく、代替的な実施形態においてはユーザデバイス３１０で実行されてもよい。
【００５８】
他の実施形態において、１つ以上の光シーンを生成するタスクは、サーバ／クライアント環境においてサーバ及びユーザデバイスの両方により実行されてもよい。または、このタスクは、当業者に知られているように複数のサーバ又は複数のシャード(shard)にわたってもよい。
【００５９】
一実施形態において、このステップは、提供される画像の組４２０を撮影し、環境の合成画像を提供するため色及び／又は輝度の点でこれら画像を適合させることにより光シーンを生成することを含む。
【００６０】
次いで、ステップ６２０において、演算された光シーンは、取得された画像の組、又はこれら取得された画像のうちの１つと相関が取られる。例えば、演算デバイス３１０、３３０は、平均値に取り組む(approach)ため環境の提供された画像及び取得された画像の組又は画像の色値の相関を取ってもよい。
【００６１】
他の実施形態において、照明シーンの生成はまた、環境の提供されたシーン画像及び取得された画像の組のカラーコントラストの相関を取ることを含んでもよい。
【００６２】
パターン認識が、形状又は境界（例えばビーチと空の水平線）を特定するため、取得された画像のテキストを無視するため、及び相関をさらに洗練させるようなことに用いられてもよい。
【００６３】
次いで、光シーンは、相関が所望の閾値に達するまで矢印(path)６３０により示されるように繰り返し処理されてもよい。これは、承認のためシーンがユーザに表示される点で主観的であってもよく、自動的であってもよく、これらの混合であってもよい。
【００６４】
照明デバイス１４０、１５０、１６０、１７０、１８０、１９０の制御、又はプログラム可能なこれら照明デバイスの制御のための設定は、例えば、輝度、色相等々の照明器具の動作特性を規定するデータベース内のモデル及び適切な設定をルックアップすることにより規定される（ステップ６４０）。
【００６５】
次いで、照明シーンは、キーワードと関連付けられ、環境に提供され、格納されてもよい（ステップ６５０）。
【００６６】
一実施形態において、演算された照明シーン及び照明デバイスのための関連するパラメータ又は設定は、環境１００において承認のためユーザに提示されてもよく、当該承認に応じてプロセッサ３１０、３３０によりキーワードと関連付けられ又は無視されてもよい。
【００６７】
システム３００は、斯かるフィードバックを格納してもよく、例えばパターン、色の点で似た相関性を持つ代替的な演算された照明シーンを提示してもよい。学習アルゴリズムが、キーワードと照明シーンとの関連性を改善するためシステムにより実行されてもよい。
【００６８】
生成された照明シーンは、照明デバイス１４０、１５０、１６０、１７０、１８０、１９０が、環境１００内の可変の雰囲気を提供するため時間的に又は順に制御される点で動的であってもよい。
【００６９】
斯くして、環境１００内の各照明デバイス１４０、１５０、１６０、１７０、１８０、１９０の効果が分析され、斯くして生成される照明シーンは、キーワードと関連付けられ且つ該キーワードに基づくものであり、これにより、プロフェッショナルな入力を必要とすることなく、ユーザ環境のための個人用設定の簡単な再現(recall)が可能になる。
【００７０】
上記において、環境の照明シーンを生成し、制御するための方法及びシステムが述べられた。環境は、１つ以上の制御可能な照明デバイスを持つ。環境について所望の照明シーンに関するキーワード、例えば、"自然"が受け取られ、環境の１つ以上の画像（各画像において１つ以上の照明デバイスのうちの少なくとも１つが環境に影響をもたらすよう制御されている）が提供される。画像ソースが、キーワードに基づいて探索され、画像が取得される。提供された画像は、１つ以上の照明シーン及び１つ以上の照明デバイスの関連するパラメータを生成するため取得された画像と比較され、キーワードが、１つ以上の照明シーンと関連付けられる。比較は、キーワードの呼び出し(recall)時に環境内に照明シーンを再生する(reproduce)よう照明シーン及び関連するパラメータを導出するためカラーコントラスト、色相マッチング、パターン認識のうちの１つ以上を含んでもよい。
【００７１】
上述の実施形態は例示のために述べられたに過ぎないことを理解されたい。開示された実施形態に対する他のバリエーションが、図面、開示及び添付の特許請求の範囲の研究から、特許請求の範囲の発明を実践する当業者によって理解され、実施され得るであろう。請求項において、"有する"という用語は他の要素又はステップを除外するものではなく、単数表記は複数を除外するものではない。単一のプロセッサ又は他のユニットが、請求項に列挙されている幾つかの項目の機能を実現してもよい。特定の手段が相互に異なる従属請求項に記載されるという単なる事実は、これらの手段の組み合わせが有効に用いられ得ないことを示すものではない。コンピュータプログラムは、他のハードウェアと一緒に又は他のハードウェアの一部として供される光記憶媒体又は固体媒体等の適切な媒体において格納／頒布されてもよく、インターネット又は他の有線若しくは無線通信システムを介する等他のフォーマットで頒布されてもよい。請求項中のいかなる参照符号も、その範囲を限定するものとして解釈されるべきでない。
【図１】
2017530531.tif 000003
【図２】
2017530531.tif 000004
【図３】
2017530531.tif 000005
【図４】
2017530531.tif 000006
【図５】
2017530531.tif 000007
【図６】
2017530531.tif 000008
【国際調査報告】
2017530531.tif 000009
2017530531.tif 000010
2017530531.tif 000011